(57)【要約】  上端と下端とを有する本体と、本体に接続してカバーがほぼ連続的であるようなカバーを形成する上端及び／又は下端にほぼ垂直な長手取り付け特徴部と、上端の近くに位置決めされた上端取り付け特徴部と、下端の近くに位置決めされた下端取り付け特徴部と、廃棄物処理デバイス（１２）へのアクセスを可能にする上端と下端の間に位置決めされた開口部（９２）と、開口部（９２）の近くに位置決めされた開口部取り付け特徴部とを含み、本体が、伸縮性である材料である廃棄物処理デバイス（１２）のためのハウジングカバー（７０）。【選択図】      図１
2019523194.tif 000002
【特許請求の範囲】
【請求項１】
廃棄物処理デバイスのためのハウジングカバーであって、
上端と下端とを有する本体と、
前記上端及び／又は前記下端にほぼ垂直な長手取り付け特徴部であって、前記本体に接続してカバーがほぼ連続的であるようにカバーを形成する前記長手取り付け特徴部と、
前記上端の近くに位置決めされた上端取り付け特徴部と、
前記下端の近くに位置決めされた下端取り付け特徴部と、
前記上端と前記下端の間に位置決めされ、前記廃棄物処理デバイスへのアクセスを可能にする開口部と、
前記開口部の近くに位置決めされた開口部取り付け特徴部と、
を含み、
前記本体は、伸縮性のある材料である、
ことを特徴とするハウジングカバー。
【請求項２】
前記上端取り付け特徴部、前記下端取り付け特徴部、及び前記開口部取り付け特徴部は、縫合であることを特徴とする請求項１に記載のハウジングカバー。
【請求項３】
前記上端取り付け特徴部、前記下端取り付け特徴部、及び前記開口部は、それぞれ前記上端、前記下端、及び該開口部から約０．００１インチと約１インチの間に位置決めされることを特徴とする請求項１に記載のハウジングカバー。
【請求項４】
前記上端取り付け特徴部、前記下端取り付け特徴部、及び前記開口部は、それぞれ前記上端、前記下端、及び該開口部から約０．００１インチと約．５インチの間に位置決めされることを特徴とする請求項２に記載のハウジングカバー。
【請求項５】
前記上端取り付け特徴部、前記下端取り付け特徴部、及び前記開口部は、それぞれ前記上端、前記下端、及び該開口部から約０．００１インチと約０．２５インチの間に位置決めされることを特徴とする請求項３に記載のハウジングカバー。
【請求項６】
前記上端取り付け特徴部は、ハウジングカバーの上側周囲の周りで実質的に連続的であることを特徴とする請求項１に記載のハウジングカバー。
【請求項７】
前記下端取り付け特徴部は、ハウジングカバーの下側周囲の周りで実質的に連続的であることを特徴とする請求項１に記載のハウジングカバー。
【請求項８】
前記長手取り付け特徴部は、ハウジングカバーの長さに沿って実質的に連続的であることを特徴とする請求項１に記載のハウジングカバー。
【請求項９】
前記長手取り付け特徴部は、縫合、レース、ボタン、面ファスナ、クラスプ、スナップ、及びジッパーのうちの１又は２以上を含むことを特徴とする請求項１に記載のハウジングカバー。
【請求項１０】
前記下側取り付け特徴部は、ハウジングカバーの閉鎖端を形成することを特徴とする請求項１に記載のハウジングカバー。
【請求項１１】
前記下側取り付け特徴部は、ハウジングカバー及び前記廃棄物処理デバイスのうちの少なくとも一方に取り付けられることを特徴とする請求項１に記載のハウジングカバー。
【請求項１２】
前記開口部は、廃棄物を除去するために廃棄物保管デバイスの内部へのアクセスを受け入れる適切なサイズにされ、かつそのように位置決めされることを特徴とする請求項１に記載のハウジングカバー。
【請求項１３】
前記開口部は、下側部分、中間部分、及び上側部分を含み、
前記開口部は、カバーが実質的に連続的である静止及び閉鎖構成と、該開口部が該閉鎖状態におけるよりも大きく、かつ前記廃棄物処理デバイスへのアクセスを可能にする開放構成との間で修正可能である、
ことを特徴とする請求項１２に記載のハウジングカバー。
【請求項１４】
前記下側部分は、ｘ−ｙ平面に対してほぼ平行であり、前記上側部分も、該ｘ−ｙ平面に対してほぼ平行であることを特徴とする請求項１３に記載のハウジングカバー。
【請求項１５】
前記上側部分は、底部取り付け特徴部と上側取り付け特徴部を含み、それによって前記廃棄物処理デバイスの静的部分と該廃棄物処理デバイスの可動部分とにハウジングカバーを固定することを特徴とする請求項１４に記載のハウジングカバー。
【請求項１６】
前記中間部分は、前記ｘ−ｙ平面に対してほぼ垂直であることを特徴とする請求項１３に記載のハウジングカバー。
【請求項１７】
前記中間部分は、左側取り付け特徴部と右側取り付け特徴部を含み、それによって前記廃棄物処理デバイスの静的部分にハウジングカバーを固定することを特徴とする請求項１６に記載のハウジングカバー。
【請求項１８】
前記中間部分はまた、前記廃棄物処理デバイスの可動部分にハウジングカバーを固定することを特徴とする請求項１７に記載のハウジングカバー。
【請求項１９】
前記開口部は、開放位置と閉鎖位置の間で移動されるクランプ機構を受け入れる適切なサイズにされ、かつそのように位置決めされることを特徴とする請求項１に記載のハウジングカバー。
【請求項２０】
廃棄物処理デバイス１２のためのハウジングカバー７０であって、
上端と、
下端と、
前記上端及び／又は前記下端にほぼ垂直な長手取り付け特徴部であって、該長手取り付け特徴部６２ｂが、本体に接続してカバーがほぼ連続的であるようにカバーを形成する前記長手取り付け特徴部と、
前記上端の近くに位置決めされた上端取り付け特徴部６２ｂと、
前記下端の近くに位置決めされた下端取り付け特徴部６２ｂと、
前記上端と前記下端の間に位置決めされ、前記廃棄物処理デバイス１２へのアクセスを可能にする開口部９２と、
前記開口部９２の近くに位置決めされた開口部取り付け特徴部６２ｂと、
を含み、
ハウジングカバーが、伸縮性である材料である、
ことを特徴とするハウジングカバー７０。
【請求項２１】
前記上端取り付け特徴部６２ｂ、前記下端取り付け特徴部６２ｂ、及び前記開口部取り付け特徴部６２ｂは、縫合７１であることを特徴とする請求項１から請求項２０のいずれか１項に記載のハウジングカバー７０。
【請求項２２】
前記上端取り付け特徴部６２ｂ、前記下端取り付け特徴部６２ｂ、及び前記開口部９２は、それぞれ前記上端、前記下端、及び該開口部９２から約０．００１インチと約１インチの間に位置決めされることを特徴とする請求項１から請求項２１のいずれか１項に記載のハウジングカバー７０。
【請求項２３】
前記上端取り付け特徴部６２ｂ、前記下端取り付け特徴部６２ｂ、及び前記開口部９２は、それぞれ前記上端、前記下端、及び該開口部９２から約０．００１インチと約．５インチの間に位置決めされることを特徴とする請求項１から請求項２２のいずれか１項に記載のハウジングカバー７０。
【請求項２４】
前記上端取り付け特徴部６２ｂ、前記下端取り付け特徴部６２ｂ、及び前記開口部６２ｂは、それぞれ前記上端、前記下端、及び前記開口部９２から約０．００１インチと約０．２５インチの間に位置決めされることを特徴とする請求項１から請求項２３のいずれか１項に記載のハウジングカバー７０。
【請求項２５】
前記上端取り付け特徴部６２ｂは、ハウジングカバー７０の上側周囲の周りで実質的に連続的であることを特徴とする請求項１から請求項２４のいずれか１項に記載のハウジングカバー７０。
【請求項２６】
前記下端取り付け特徴部６２ｂは、ハウジングカバー７０の下側周囲の周りで実質的に連続的であることを特徴とする請求項１から請求項２５のいずれか１項に記載のハウジングカバー７０。
【請求項２７】
前記長手取り付け特徴部６２ｂは、ハウジングカバー７０の長さに沿って実質的に連続的であることを特徴とする請求項１から請求項２６のいずれか１項に記載のハウジングカバー７０。
【請求項２８】
前記長手取り付け特徴部６２ｂは、縫合、レース、ボタン、面ファスナ、クラスプ、スナップ、及びジッパーのうちの１又は２以上を含むことを特徴とする請求項１から請求項２７のいずれか１項に記載のハウジングカバー７０。
【請求項２９】
前記下側取り付け特徴部６２ｂは、ハウジングカバー７０及び前記廃棄物処理デバイス１２のうちの少なくとも一方に取り付けられることを特徴とする請求項１から請求項２８のいずれか１項に記載のハウジングカバー７０。
【請求項３０】
前記開口部９２は、下側部分、中間部分、及び上側部分を含み、
前記開口部９２は、ハウジングカバー７０が実質的に連続的である静止及び閉鎖構成と、該開口部９２が該閉鎖状態におけるよりも大きく、かつ前記廃棄物処理デバイス１２へのアクセスを可能にする開放構成との間で修正可能である、
ことを特徴とする請求項１から請求項２９のいずれか１項に記載のハウジングカバー７０。
【請求項３１】
前記下側部分は、ｘ−ｙ平面に対してほぼ平行であり、前記上側部分も、該ｘ−ｙ平面に対してほぼ平行であることを特徴とする請求項１から請求項３０のいずれか１項に記載のハウジングカバー７０。
【請求項３２】
前記上側部分は、底部取り付け特徴部６２ｂと上側取り付け特徴部６２ｂを含み、それによって前記廃棄物処理デバイス１２の静的部分と該廃棄物処理デバイス１２の可動部分とにハウジングカバーを固定することを特徴とする請求項１から請求項３１のいずれか１項に記載のハウジングカバー７０。
【請求項３３】
前記中間部分は、左側取り付け特徴部６２ｂと右側取り付け特徴部６２ｂを含み、それによって前記廃棄物処理デバイス１２の静的部分にハウジングカバー７０を固定することを特徴とする請求項１から請求項３２のいずれか１項に記載のハウジングカバー７０。
【請求項３４】
前記中間部分はまた、前記廃棄物処理デバイス１２の可動部分にハウジングカバー７０を固定することを特徴とする請求項１から請求項３３のいずれか１項に記載のハウジングカバー７０。
【発明の詳細な説明】
【技術分野】
【０００１】
〔関連出願への相互参照〕
この出願は、本明細書にその全体が組み込まれている２０１６年７月８日出願の米国仮特許出願第６２／３５９、７９４号に対する優先権を主張するものである。
【背景技術】
【０００２】
特に、おむつ、おしりふき、衛生用品、及びペット廃棄物のようなヒト及び動物廃棄物を格納する使用、回収、及び格納するためのライナフィルムをそこに使用するために含む廃棄物処理システムは公知である。廃棄物処理システムは、廃棄物を受け入れて格納するための廃棄物処理デバイスを含む。ライナフィルムは、そのような廃棄物処理デバイスと協働して使用される。
【発明の概要】
【発明が解決しようとする課題】
【０００３】
公知のライナフィルム及び／又はライナフィルムを有するカセットは、廃棄物処理デバイス内側のライナフィルム内に廃棄物質を少なくとも部分的に閉じ込めることによってペールからの臭気の低減を支援する。しかし、公知のシステムは、必ずしも全ての廃棄物質をフィルムに入れるのを支援するわけではなく、従って、ある一定の廃棄物質が廃棄物処理デバイス上又はカセット上に残る場合がある。ある一定のシナリオでは、廃棄物質は、廃棄物処理デバイスの外部上にあるという結果になる可能性がある。廃棄物質から保護する及び／又はその迅速除去又は制御を可能にする１又は２以上のカバーを有することは有利であろう。
【課題を解決するための手段】
【０００４】
廃棄物処理システムを提供する。本発明の開示の第１の態様では、廃棄物処理システムは、廃棄物を受け入れて格納するための廃棄物保管デバイスを有する。廃棄物処理システムは、廃棄物処理デバイスに取り外し可能に固定可能であるある長さのライナフィルムを有する。廃棄物処理システムは、廃棄物を廃棄物処理デバイスの保管部分の中に密封するクランプ構造を有する。廃棄物処理システムは、クランプ構造によって廃棄物処理デバイスの保管部分から分離された受け入れ部分を有する。廃棄物処理デバイスの受け入れ部分は、廃棄物質を含む廃棄物をライナ材料が受け入れるように位置決めされるように、その長さのライナ材料の少なくとも第１の開放端を収容する。
【０００５】
ある一定の実施形態では、ライナ材料は、廃棄物処理デバイス及びより具体的には廃棄物処理デバイスの受け入れ部分に取り外し可能に固定される。ライナ材料は、任意的に、ライナ材料がカセットから分配されるようにライナ材料に取り付けられるか又はライナ材料を格納するカセットを有する。
【０００６】
本発明の開示の第１の態様では、少なくとも１つのハウジングカバーを提供する。ハウジングカバーは、廃棄物処理デバイスの外部を保護し、任意的に、廃棄物処理デバイスの内部（すなわち、受け入れ部分及び／又は保管部分）の態様を保護する。ハウジングカバーは、上端と下端間の長さを有する本体を有し、そのような長さは、上述の長さ（又は廃棄物処理デバイスの高さ）と同様か又はそれよりも短い場合がある。上端は、任意的に、廃棄物処理デバイスの上側部分に近接するが、必ずしもそうとは限らない。下端は、任意的に、廃棄物処理デバイスの下側部分に近接するが、必ずしもそうとは限らない。ハウジングカバー（又はハウジングカバーの本体）は、任意的に、廃棄物処理デバイスの中間領域に近接する中間領域を有する。ハウジングカバーは、廃棄物処理デバイスの面（又はその特徴部）に隣接するように構成される。任意的に、ハウジングカバーは、廃棄物処理デバイスの長さよりも大きい長さを有する。ハウジングカバーは、ソックスと類似の第１の実施形態を有する。ハウジングカバーは、第１の自由端と第２の閉鎖端を有する。ハウジングカバーは、ボトムアップで廃棄物処理デバイスに適用される（すなわち、ソックスの閉鎖端は廃棄物処理デバイスの底側にあり、ソックスの開放端は、廃棄物処理デバイス開口部に近接する廃棄物処理デバイスの上端に隣接する）。ハウジングカバーの開放端は、取り付け特徴部を有する。取り付け特徴部は、廃棄物処理デバイスの周りにカバーを保持するのを支援する。取り付け特徴部は、カバーが廃棄物処理デバイスの外部に隣接したままであることを保証するようにエラストマー性又は伸張性とすることができる。ハウジングカバーは、完全に延伸可能なエラストマー又は伸張材料である場合がある。エラストマー及び伸張材料は、２方向に及び／又は４又は５以上の方向にそのような特性を示すことができる。一部の実施形態では、廃棄物処理デバイスは、取り付け特徴部がその上に載る及び／又は把持することを可能にするリップ又は棚を有し、それによってカバーを廃棄物処理デバイスに少なくとも部分的に固定する。他の実施形態では、ハウジングカバーは、蓋、内蓋、ゴミ箱、取り外し可能な扉、及び／又は廃棄物処理デバイスの少なくとも１つの可動部品と廃棄物処理デバイスの固定部分間、又は廃棄物処理デバイスの可動部品間の接合部よって廃棄物処理デバイスに固定される。
【０００７】
一部の実施形態では、ハウジングカバーは、第１の開放端と第２の開放端を有する。第２の開放端は、第１の開放端の実質的に反対側である場合がある。これに関して、ハウジングカバーは中空円筒に似るが、この中空円筒は、様々な形状に適合するように不完全又は変形可能であるものとすることができる。ハウジングカバーは、廃棄物処理デバイスにトップダウン又はボトムアップのいずれかで取り付け可能である。ハウジングカバーは、第１の開放端の周りの第１の取り付け手段と、第２の端部の周りの第２の取り付け手段とを有する。第１の取り付け手段と第２の取り付け手段は、同じ、類似、及び／又は異なる可能性がある。
【０００８】
一部の実施形態では、廃棄物処理デバイスは、複数の分離可能な構成要素、複数の可動構成要素、及び／又はその組合せを有することができる。従って、廃棄物処理デバイスは、静的部分と可動部分を有し、又は言い換えれば、廃棄物処理デバイスの１又は２以上の構成要素、特徴部、及び／又は態様は、ペールの１又は２以上の構成要素、特徴部、及び／又は態様（すなわち、「静止」と説明される）に対して可動である。例えば、廃棄物処理デバイスは、開口部を覆う蓋を有し、この蓋は、閉鎖位置から開放位置へ、及び閉鎖位置へ戻るように可動である。廃棄物処理デバイスは、蓋に隣接する及び／又は外壁（すなわち、廃棄物処理デバイスの前側に向けて位置付けられた壁）及び／又は底壁のような廃棄物処理デバイスの別の部分の周りにある廃棄物取り出し開口部を有する。廃棄物取り出し開口部は、扉及び／又は取り外し可能ゴミ箱を有する。これらの実施形態では、ハウジングカバーは、第１の開放端、第２の開放端、及び任意的に第１の開放端及び第２の開放端以外に第３の開口部を有するように構成することができる。一部の実施形態では、第３の開口部は、ハウジングカバーが廃棄物処理デバイスの外部に触れる廃棄物を軽減するように、カバーが廃棄物処理デバイスの周りに固定されることを保証するための第３の取り付け手段を有する。一部の実施形態では、第３の開口部は、廃棄物取り出し開口部の全体に似たポート（すなわち、扉又はゴミ箱など）を定める。他の実施形態では、第３の開口部は、扉をヒンジ領域の周りで開くことができ、ゴミ箱を取り外すことができ、いずれかで／又は回転させるか又は摺動させることができるように廃棄物取り出し開口部へのアクセスを可能にする。
【０００９】
任意的に、廃棄物処理デバイスは、ユーザが廃棄物処理デバイスと相互作用してある一定のアクションを達成することを可能にする１又は２以上のボタン、ハンドル、ノブ、及び／又はペダルを有することができる。例えば、ハンドルは、廃棄物処理デバイスの担持、及び／又は蓋、廃棄物取り出し開口部などの開放を可能にすることができる。ボタンは、クランプ構造との相互作用、及び／又は内蓋の取り外し、カセットへのアクセス、蓋、廃棄物取り出し開口部などの開放を可能にすることができる。ペダルは、ユーザの足を使用することによって手の使用を低減することを可能にし、その場合に、ペダルが蓋及び／又はクランプ構造を制御する。一部の実施形態では、ハウジングカバーは、そのような特徴部と同一空間にあるが、これらの特徴部を起動することができるように構成される（すなわち、ユーザは、廃棄物処理デバイスによってタスクを達成するために依然としてハンドル、ボタン、又は他の特徴部と相互作用することができる）。他の実施形態では、ハウジングカバーは、そのような特徴部への自由なアクセスを可能にする「第ｎ」開口部を有する。これらの実施形態のいずれにおいても、ハウジングカバーは、これらの特徴部を起動することができることを保証するための１又は２以上の「第ｎ」取り付け特徴部及び／又は継ぎ目を有することができる。
【００１０】
更に別の実施形態では、廃棄物処理デバイスの様々な部分は、追加のカバーを有する。例えば、蓋、扉、及び／又はゴミ箱は、個別のカバーを有することができる。本発明の開示のカバーは、単一材料から一体的に形成することができ、及び／又は互いに接続された複数の材料とすることができる。カバーは、廃棄物処理デバイスを組み立てる、相互作用させる、及び／又は分解することを可能にするために１又は２以上の開口部及び／又は継ぎ目を有することができる。カバーは、廃棄物処理デバイスの外面及び／又は露出面の全てを完全に取り囲むことができ、又は廃棄物処理デバイスの外面の全てよりも少なく取り囲むことができる。例えば、ハウジングカバーは、廃棄物処理デバイスの中間部分（すなわち、最上側部分ではなく、最下側部分でもない）を保護することができる。
【００１１】
本発明の開示の第２の態様では、受け入れ部分は、廃棄カバーを有する。廃棄カバーは、１又は２以上の露出した廃棄物処理デバイス及び／又はカセット面が廃棄カバーの下に位置するように受け入れ部分上及び／又は内に位置決めされる。この場合に、廃棄カバーは、１又は２以上の露出した廃棄物処理デバイス及び／又はカセット面を廃棄物による汚染から保護するのに役立つ。任意的に、廃棄カバーは、廃棄物をクランプ構造に向けてライナ材料の中に及び／又は廃棄物処理デバイスの保管部分の中に下向きに誘導するのを支援することを補助する。
【００１２】
廃棄カバーは、上側と上側の反対側の底側とを有する。廃棄カバーは、外周と内周を有する。内周は、ライナ材料内の廃棄物処理開口部（すなわち、廃棄物が堆積されるチャネル）と同一空間にある。一部の実施形態では、内周は、それがカセットと関連する時にフィルムの起点（すなわち、カセット上の分配オリフィス）と同一空間にある。一部の実施形態では、廃棄カバーは、実施形態によっては漏斗の形状をした内蓋特徴部を保護するようなサイズにされる。一部の実施形態では、内蓋特徴部は、カセット及び／又はライナ材料に近接するように置かれるが、間隙を提供する。これらの実施形態では、廃棄カバーは、廃棄物質を含有する廃棄物がそのような間隙に捕捉されないように内蓋を超えて延びて間隙を覆う。
【００１３】
廃棄カバーは、その周囲に位置する１又は２以上の取り付け特徴部を有することができる。取り付け特徴部は、受け入れ部分に対する不完全な整合に関わらず取り付け可能である及び／又は複数の異なる構成、サイズ、及び／又は形状の受け入れ部分に取り付け可能であるように伸縮性、エラストマー性、又は伸張性とすることができる。任意的に又はこれに代えて、廃棄カバーは、廃棄物処理デバイス上の嵌合取り付け特徴部に解除可能に固定可能である取り付け特徴部を有する場合がある。
【００１４】
一部の実施形態では、廃棄カバーは、それがカバーの下の１又は２以上の露出した廃棄物処理デバイス及び／又はカセット面の形状及び形態に追従する輪郭を有するように適合させることができる。廃棄カバーの底側は、それが１又は２以上の露出面に粘着するような粘着面を有する。一部の実施形態では、底側の一部のみが粘着性である。カバーが少なくとも１又は２以上の露出した廃棄物処理デバイス及び／又はカセット面に少なくとも部分的に適用された後にユーザが第１のカバーを取り外すことができるように、カバーは剥ぎ取り可能である。
【００１５】
任意的に、廃棄カバーは、廃棄物処理デバイスからの廃棄カバーの取り外しを容易にするための取り外しタブを有する場合がある。
【００１６】
他の実施形態では、廃棄カバーは、１又は２以上の露出した廃棄物処理デバイス及び／又はカセット面に適用され、かつ１又は２以上の露出面に少なくとも部分的に接着する。一部の実施形態では、底側は、接着材料で完全に被覆される。一部の実施形態では、底側の一部のみ、例えば、カバーの外周及び／又は内周の付近が接着材料で被覆される。
【００１７】
本発明の開示の一部の実施形態では、ハウジングカバー及び／又は廃棄カバーは、平面視界から隠されて廃棄物処理デバイス上又は内の取り付け特徴部に解除可能に固定可能である取り外しタブを有する。廃棄物処理デバイス上又は内の取り付け特徴部も隠される。カバー及び／又は廃棄物処理デバイス上のそのような取り付け特徴部は、縫合、レース、ボタン、ジッパー、ＶＥＬＣＲＯのような面ファスナ、静電気、吸盤、スナップ、クラスプ、ラッチ、スウェージ、ピン、ステープル、クリップなどを含むことができる。
【００１８】
更に別の実施形態では、ハウジングカバー及び／又は廃棄カバーは、審美的に魅力的なものである。これらの実施形態では、カバーは、パターン、テクスチャを有し、及び／又は他の家庭用装身具及び装飾品に対して様式的に魅力的な材料から製造される。例えば、カバーは、シェブロン、ストライプ、格子縞、水玉パターン、及びその組合せを有することができる。カバーは、耐水性である及び／又は天然、有機、再生、及び／又は生物分解性材料から製造することができる。
【図面の簡単な説明】
【００１９】
【図１】本発明の開示による廃棄物処理システム実施形態の図式的斜視図である。
【図２】本発明の開示による廃棄物処理システム実施形態の図式的側面図である。
【図３】本発明の開示による廃棄物処理システム実施形態の図式的正面図である。
【図４】本発明の開示によるカバー実施形態の図式的傾斜正面図である。
【図５ａ】本発明の開示による実施形態の図式的正面図である。
【図５ｂ】本発明の開示による実施形態の図式的傾斜正面図である。
【図６ａ】本発明の開示による実施形態の図式的側面図である。
【図６ｂ】本発明の開示による実施形態の図式的側面図である。
【図６ｃ】本発明の開示による実施形態の図式的上面図である。
【図６ｄ】本発明の開示による実施形態の図式的底面図である。
【図６ｅ】本発明の開示による実施形態の図式的背面図である。
【図６ｆ】本発明の開示による実施形態の図式的正面断面図である。
【図７ａ】本発明の開示による実施形態の図式的傾斜正面図である。
【図７ｂ】本発明の開示による実施形態の図式的背面図である。
【図７ｃ】本発明の開示による実施形態の図式的傾斜正面図である。
【図８】本発明の開示による実施形態の図式的傾斜正面図である。
【図９ａ】本発明の開示による実施形態の図式的傾斜正面図である。
【図９ｂ】本発明の開示による実施形態の図式的傾斜正面図である。
【図１０ａ】本発明の開示による実施形態の図式的傾斜正面図である。
【図１０ｂ】本発明の開示による実施形態の図式的正面図である。
【図１１ａ】本発明の開示による実施形態の図式的傾斜正面図である。
【図１１ｂ】本発明の開示による実施形態の図式的傾斜背面図である。
【図１２ａ】本発明の開示による実施形態の図式的上面図である。
【図１２ｂ】本発明の開示による実施形態の図式的底面図である。
【図１３ａ】本発明の開示による実施形態の図式的傾斜背面図である。
【図１４】本発明の開示による実施形態の図式的傾斜正面図である。
【図１４ａ】図１４の一部分の詳細図である。
【図１５ａ】本発明の開示による実施形態の図式的正面図である。
【図１５ｂ】本発明の開示による実施形態の図式的背面図である。
【図１５ｃ】本発明の開示による実施形態の図式的側面図である。
【図１５ｄ】本発明の開示による実施形態の図式的側面図である。
【図１６ａ】本発明の開示による実施形態の図式的側面図である。
【図１６ｂ】本発明の開示による実施形態の図式的側面図である。
【図１６ｃ】本発明の開示による実施形態の図式的背面図である。
【図１６ｄ】本発明の開示による実施形態の図式的正面図である。
【図１７ａ】本発明の開示による実施形態の図式的傾斜正面図である。
【図１７ｂ】本発明の開示による実施形態の図式的傾斜正面図である。
【図１７ｃ】本発明の開示による実施形態の図式的傾斜正面図である。
【図１８ａ】本発明の開示による実施形態の図式的傾斜正面図である。
【図１８ｂ】本発明の開示による実施形態の図式的上面図である。
【図１８ｃ】本発明の開示による実施形態の図式的傾斜上面図である。
【図１８ｄ】本発明の開示による実施形態の図式的傾斜上面図である。
【発明を実施するための形態】
【００２０】
ライナ材料１４を受け入れるように構成された廃棄物処理デバイス１２（すなわち、ペール）を有する廃棄物処理システム１０を提供する。廃棄物処理デバイス１２は、受け入れ部分２０と保管部分１８を有する。ライナ材料１４は、第１の開放端５８と第２の端部６０を有し、第２の端部６０は、開く又は閉じることができる。第１の開放端５８及び／又は第２の端部６０は、結び目、クリップ、又は他の公知の固定手段又は密封手段によって閉鎖可能である。ライナ材料１４は、廃棄物処理デバイス１２に、多くの実施形態では受け入れ部分２０に取り外し可能に固定可能である。受け入れ部分２０は、ライナ材料１４が受け入れ部分２０及び／又は保管部分１８の中に位置決めされて廃棄物を受け入れる準備が整うように、ライナ材料１４の第１の開放端５８を受け入れて固定するように構成される。
【００２１】
ライナ材料１４は、任意的に、それに関連付けられたカセット２２を有する。カセット２２は、ライナ材料１４に取り付けられる及び／又はライナ材料１４をカセット２２の容積２３内に少なくとも部分的に格納するように構成される。ライナ材料１４が少なくとも部分的に容積２３内に格納される実施形態では、カセット２２は、ライナ材料１４をカセット２２から区分的に取り外すことを可能にするポート３６を有する。ポート３６は、内周５４の近く、外周５２の近く、及び／又は内周５４と外周５２の間の中間部分５３に向けて位置決めすることができる。ポート３６は、中心開口部５６ｂに沿って内周５４の近くに位置決めすることができる。
【００２２】
カセット２２は、下面５０のほぼ反対側の上面４８を有する。
【００２３】
廃棄物処理システムは、クランプ構造１６を有する。クランプ構造１６は、クランプ構造が上側部分１１６、中間部分１１４、及び／又は下側部分１１８に見出すことができるにも関わらず、受け入れ部分２０を保管部分１８から物理的に分離する。このようにして、クランプ構造は、保管部分１８と受け入れ部分２０が特に組立、保管、便宜上等のために互いに分離可能であるように、受け入れ部分２０又は保管部分１８を有する単一部品とすることができる。クランプ構造１６は、開放位置と閉鎖位置の間で可動である。
【００２４】
一部の実施形態では、クランプ構造１０は、ライナ材料１４を捩ってシールを生成する。クランプ構造１０は、廃棄物処理デバイス１２の別の部分が移動するように回転させるか又は固定することができる。一部の実施形態では、カセット２２をクランプ構造１０に対して回転させることができる。上側部分１１６は、ヒンジ９８又は他の接続手段によって下側部分１１８に取り付け可能であるものとすることができる。一部の実施形態では、上側部分１１６は、下側部分１１８との接続を維持しながら下側部分１１８に対して可動である。
【００２５】
本発明の開示の第１の態様では、少なくとも１つのハウジングカバー７０を提供する。ハウジングカバー７０は、廃棄物処理デバイス１２の外部７２を保護するのに役立つ。任意的に、ハウジングカバー７０は、廃棄物処理デバイス１２の内部７３の態様を保護するのに役立つ。ハウジングカバー７０は、第１の自由端７４と閉じた第２の端部７６とを有するという点でソックスに類似した第１の実施形態を有する。第１の自由端７４及び第２の端部７６は、結び目、クリップ、又は他の密封手段によって閉鎖可能である。ソックス様式では、ハウジングカバー７０は、矢印８０に沿ってボトムアップで廃棄物処理デバイスに適用されるので、自由端７０は、廃棄物処理デバイスの底部９０の周囲に位置決めされ、廃棄物処理デバイス８８の外壁８８の周りで上向きにもたらされる。このようにして、ハウジングカバー７０の第２の端部７６は、廃棄物処理デバイスの底部９０の周りに位置決めされる。第２の端部７６が閉鎖される実施形態では、底部９０の実質的に全てがハウジングカバー７０によって覆われる。第２の端部７６が開いている実施形態では、ハウジングカバー７０は、外壁８８と底部９０の接合部の近くに位置決めされる。
【００２６】
他の実施形態では、ハウジングカバー７０は、トップダウンで廃棄物処理デバイス１２に適用される。これらの実施形態では、第２の端部７６が（廃棄物処理デバイス１２への適用前及び適用時に少なくとも最初は）開いているものとすることができる。第２の端部７６が開いているこれらの実施形態では、ハウジングカバー７０は中空円筒に似るが、この中空円筒は、真円筒及び不真円筒を含めて、様々な形状に適合するように不完全に又は変形可能にすることができる（すなわち、廃棄物処理デバイスは、角丸形、角丸台形、円錐形、切頭円錐形、長円形、長円台形、角柱形、小円形、及び／又は面取りを有する形状などに類似した断面形状を有する）。
【００２７】
少なくとも第１の開放端７６は、１又は２以上の取り付け特徴部６２ｂを有する。任意的に、追加の開口部１１０及び／又は第２の端部７６は、１又は２以上の取り付け特徴部６２ｂを有する。取り付け特徴部６２ｂは、ハウジングカバー７０を廃棄物処理デバイス１２の周りに適切に位置決めされた状態に保つ。一部の実施形態では、ハウジングカバーは、取り付け特徴部６２ｂとして作用し、カバーを廃棄物処理デバイス１２の外部７２に隣接した状態に保つ上で支援するようにエラストマー材料及び／又は伸張材料で製造される。他の実施形態では、取り付け特徴部６２ｂは、伸縮材料、エラストマー材料、及び／又は伸張材料で製造される。
【００２８】
開放端７６及び／又は他の開口部１１０は、任意的に閉鎖可能である、言い換えれば、開放端７６は、ハウジングカバー７０を少なくとも部分的にそれ自体に取り付けることを可能にする取り付け特徴部６２ｂを有する。そのような取り付け特徴部６２ｂは、ジッパー、ＶＥＬＣＲＯのような面ファスナ閉鎖、レース、静電気、吸盤、ボタン、クリップ、ラッチ、スウェージ、ピンステープル、ピンチ閉鎖、ＺＩＰＬＯＣＫ商標のバッグに見られるような押込接続、半接着剤、再密封可能閉鎖、及び他の同様に公知の締結手段又は閉鎖手段を含む。ある一定の実施形態では、開放端７６又は他の開口部１１０は、廃棄物処理デバイス１２とハウジングカバー７０の両方に取り付けられる取り付け特徴部６２ｂによって閉鎖可能である。他の実施形態では、上述の取り付け特徴部により、ハウジングカバー７０を廃棄物処理デバイス１２に取り付けることが可能になる。
【００２９】
廃棄物処理デバイス１２は、取り付け特徴部６２ｂに対応してそれと嵌合的に係合する１又は２以上の取り付け特徴部６４ｂを有する。一部の実施形態では、取り付け特徴部６４ｂは、取り付け特徴部６２ｂがその上に載る及び／又は把持するように位置決めされるリップ又は棚であり、それによってハウジングカバー７０を廃棄物処理デバイス１２に少なくとも部分的に固定する（かつ廃棄物処理デバイス１２を覆う）。一部の実施形態では、取り付け特徴部６２ｂは、第１の開放端７４又は他の開口部又は端部に近接する縫合７１によってハウジングカバー７０に取り付けられたエラストマー材料である。
【００３０】
一部の実施形態では、ハウジングカバー７０は、蓋８２、内蓋４０、ゴミ箱９２ｂ、扉９２ａ、又は廃棄物処理デバイス１２の可動部品間及び／又は可動部品と固定部品間の他の接合部のような廃棄物処理デバイス１２の一部により、廃棄物処理デバイス１２に固定される。そのような実施形態では、継ぎ目１１２は、廃棄物処理デバイス１２のそのような部分によって少なくとも部分的に不明瞭にされる。他の実施形態では、継ぎ目１１２は、使用時に典型的に見えないカバーの部分に位置決めされることにより、少なくとも部分的に不明瞭にされる。例えば、継ぎ目１１２は、廃棄物処理デバイス１２の底部９０及び／又は背部８７に沿って位置決めされる。
【００３１】
一部の実施形態では、廃棄物処理デバイス１２は、１又は２以上の分離可能構成要素及び／又は可動構成要素を有する。廃棄物処理デバイス１２は、受け入れ部分２０の開口部８３を覆う蓋８２を有する。蓋８２は、図１及び２に示すような閉鎖位置から図３に示すような開放位置へ、及び／又は閉鎖位置に戻るように可動である。廃棄物処理デバイス１２は、蓋、外壁８８、底部９０、前部９１、及び／又はその組合せに隣接した廃棄物取り出し開口部９２を有する。廃棄物取り出し開口部９２は、扉９２ａ及び／又は取り外し可能ゴミ箱９２ｂを有する。これらの実施形態では、ハウジングカバー７０は、第１の開放端７４、第２の端部７６、及び任意的に廃棄物取り出し開口部９２に近接する第３の開口部９４を有するように構成される。第３の開口部９４は、第１の開放端７４及び第２の端部７６が位置する場所以外に設けられる。第３の開口部９４は、廃棄物処理デバイス１２の一部に廃棄物が接触するのを軽減するために、廃棄物処理デバイスの周りにカバーが固定されることを保証するための第３の取り付け手段９６を有する。第３の開口部９４及び任意的に第３の取り付け手段９６は、廃棄物取り出し開口部９４を通して扉９４ａ及び／又はゴミ箱９４ｂを通して廃棄物が排出されることを可能にする及び／又は妨げない。扉９４ａ及び／又はゴミ箱９４ｂをヒンジ９８の周りに開くことができ、その場合に、ゴミ箱を更に取り外す、ピボット回転させる、摺動させる、並進させるなどが可能である。
【００３２】
開口部９２は、１又は２以上の取り付け特徴部を含む。例えば、開口部は、上側取り付け特徴部６２ｂ、下側取り付け特徴部６２ｂ、及び中間取り付け特徴部６２ｂを有することができる。そのような取り付け特徴部６２ｂは、特に開口部が扉９２ａ及び／又はゴミ箱９２ｂである場合に、任意的にサイズ又は形状が修正可能な開口部を定める。従って、ある一定の実施形態では、上側取り付け特徴部６２ｂは、２つの取り付け特徴部を有し、すなわち、一方は廃棄物処理デバイス１２の静的部分に対するもの、他方は可動部分（すなわち、扉９２ａ及び／又はゴミ箱９４ｂ）に対するものである。下側取り付け特徴部６２ｂ及び／又は中間取り付け特徴部６２ｂについても同様であるとすることができる。静止した構成又は恐らくは閉鎖構成では、開口部９２は小さく又は微かに見え、カバーは廃棄物処理デバイス１２の周りで実質的に連続している。開放構成では、開口部９２はより大きく（又は開口部９２が閉鎖構成にある場合よりも大きく）、ペールへのアクセスを可能にする。いずれの構成でも、ハウジングカバー７０は完全なままである。この実施形態は、開口部９２に関して与えられているが、本発明の開示によって考えられている他の開口部についても同じことが真である。
【００３３】
これに代えて、開口部９２は、その領域の周りに単一取り付け特徴部６２ｂを有し、その場合に、開口部は比較的静的であるか又は開口部は動的又は可動である。例えば、開口部９２は、上側取り付け特徴部６２ｂ、下側取り付け特徴部６２ｂ、及び中間取り付け特徴部６２ｂを有する。上側取り付け特徴部６２ｂと下側取り付け特徴部６２ｂはそれぞれ単一特徴部であるが、中間取り付け特徴部６２ｂは２つの取り付け特徴部を含む。
【００３４】
廃棄物処理デバイス１２は、ユーザがある一定の機能又は利益を達成するために廃棄物処理デバイスと相互作用することを可能にする１又は２以上のセンサ、ボタン、レバー、ハンドル、ノブ、及び／又はペダルを有する。例えば、ハンドル１０２は、廃棄物処理デバイスの担持、蓋８２の開放、内蓋４０の開放、廃棄物取り出し開口部９２へのアクセス、及びその組合せを可能にする。ノブ又はボタン１００も、クランプ構造１０との相互作用、蓋８２、内蓋４０、及び廃棄物取り出し開口部９２の取り外しと移動、及びその組合せを可能にする。ペダル又はレバー１０４は、ユーザの足を使用することによってユーザの手の使用を低減することを可能にし、その場合に、ペダル１０４が蓋８２及び／又はクランプ構造１０を制御する。一部の実施形態では、ハウジングカバー７０は上述の特徴部と同一空間にあるが、これらの特徴部は、依然として可動であり、意図したタスクを果たすように構成される。一部の実施形態では、ハウジングカバー７０は、クランプが開状態又は閉状態のいずれか又はその両方に移動するのを支援する。例えば、ハウジングカバー７０は、（直接的に、すなわち、手により、又は間接的に、すなわち、ボタン又はペダルにより、クランプが開放位置まで移動された後に）クランプを閉鎖位置に戻そうとする伸縮材料とすることができる。他の実施形態では、ハウジングカバー７０は、従って、バネ性材料を過度に有すること又は他の機械的手段により、クランプ構造１６を開放位置まで移動するのを支援する取り付け特徴部６２ｂを有する。
【００３５】
一部の実施形態では、ハウジングカバー７０は、そのような特徴部への自由なアクセスを可能にする「第ｎ」開口部１１０を有する。上述の実施形態のいずれにおいても、ハウジングカバー７０は、このハウジングカバー７０がそのような特徴部の作用を実質的に妨げないようにするために、１又は２以上の「第ｎ」取り付け特徴部１１１、継ぎ目１１２、及び／又は縫合１１５を有する。
【００３６】
ある一定の廃棄物処理デバイスのある一定の形状を受け入れるために、第１の開放端７４、第２の端部７６、及びあらゆる他の開口部１１０は、互いに対して異なるサイズを有することができる。一部の実施形態では、下側部分１１８よりも大きい周囲を有する上側部分１１６を有する廃棄物処理デバイス１２を受け入れるために、第１の開放端７４は、第２の端部７６よりも大きい。他の実施形態では、上側部分１１６よりも大きい周囲を有する下側部分１１８を有する廃棄物処理デバイス１２を受け入れるために、第２の開放端７６は、第１の端部７４よりも大きい。他の実施形態では、中間部分１１４が最も大きい周囲を有し、第３の開口部９４は、勿論、第１の開放端７４及び／又は第２の端部７６よりも大きいことが必要である。
【００３７】
更に別の実施形態では、廃棄物処理デバイス１２の様々な部分は、別々の及び／又は追加のカバー６９を有する。蓋８２、扉９２ａ、及び／又はゴミ箱９２ｂはカバー６９を有する。カバー６９、７０は、単一材料から一体的に形成することができ、及び／又は縫合、レース、ボタン、ジッパー、ＶＥＬＣＲＯのような面ファスナ、静電気、吸着、スナップ、クラスプ、ラッチ、スウェージ、ピン、ステープル、クリップ、ピンチ閉鎖、ＺＩＰＬＯＣＫ商標のバッグに見られるような押込接続、半接着剤、再密封可能閉鎖、及び他の同様に公知の締結手段又は閉鎖手段のような取り付け特徴部１１１によって互いに接続された複数の材料とすることができる。カバー６９及び７０は、廃棄物処理デバイス１２を組み立てる、相互作用させる、及び／又は分解することを可能にするために、１又は２以上の開口部１１０及び／又は継ぎ目１１２を有することができる。例えば、上側部分１１６は、廃棄物処理デバイスの下側部分１１８にヒンジ式に接続することができ、従って、カバー６９及び／又は７０を取り付ける前又は後に組立を必要とする。組立を必要とする部分を有する実施形態では、互いに接続可能な別々の部品を有するカバー６９又は７０を有すること、又はカバー６９又は７０を廃棄物処理デバイス１２の第１の部分に取り付けて、その後に（廃棄物処理デバイスが少なくとも部分的に組み立てられると直ちに）廃棄物処理デバイス１２の第２の部分に取り付けることができるように開口部１１０を有する単一部品を有することが好ましい場合がある。
【００３８】
一部の実施形態では、カバー６９及び／又は７０は、廃棄物処理デバイス１２の実質的に全ての外部７２及び／又は露出面を覆う（すなわち、露出面はライナ材料１４によって覆われない面である）。一部の実施形態では、カバー６９及び／又は７０は、廃棄物処理デバイス１２の外部７２又は露出面の一部分だけを覆う。
【００３９】
一部の実施形態では、第１の開放端７４の近くに位置付けられた取り付け特徴部６２ｂは、第２の端部７６の近くに位置付けられた取り付け特徴部６２ｂと同様である。一部の実施形態では、ハウジングカバー７０は、ｚ軸に沿って上下対称性を有し、ｘ−ｙ平面に沿って左右対称性を有する又は鏡映対称性を有する。
【００４０】
一部の実施形態では、第１の開放端７４の近くに位置付けられた取り付け特徴部６２ｂは、第２の端部７６の近くに位置付けられた取り付け特徴部６２ｂとは異なる。これらの実施形態では、この区別により、ハウジングカバー７０を廃棄物処理デバイスの上に適切に向ける時にユーザを支援することができる。ハウジングカバー７０が略円筒形である実施形態では、第１の開放端７４と第２の端部７６の間の区別により、回転使用を支援することができる（すなわち、いずれか一端は他方よりも早く摩耗し易い場合がある）。
【００４１】
一部の実施形態では、縫合７１及び／又は取り付け特徴部６２ｂは、ｘ−ｙ平面に平行である。他の実施形態では、縫合７１及び／又は取り付け特徴部６２ｂは、ｘ−ｙ平面に垂直である。縫合は、凝ったもの（例えば、クロス、シェブロン、又は他の装飾パターン）又は簡単なもの（すなわち、縫合が目に見えて実線又は破線、直線状、弧状、又は波状を成す）とすることができる。
【００４２】
縫合７１及び／又は取り付け特徴部６２ｂは、第１の開放端７４の周囲に隣接する。縫合７１及び／又は取り付け特徴部６２ｂは、実質的に連続的であるか又は間隙を有することができる：そのような間隙は、パターンを形成し、及び／又はハウジングカバー７０の特定の局所的な部分に更なる伸張性を与え、かつハウジングカバー７０の別の部分に更なる強度を与えることができる。縫合７１及び／又は取り付け特徴部６２ｂは、いずれかの開口部１１０又は開放端（すなわち、第１の開放端７４及び／又は第２の端部７６）の近くに位置し、その距離は、いずれかの開口部１１０又は開放端（すなわち、第１の開放端７４及び／又は第２の端部７６）から約０．００１インチ〜約１インチの間、又は約０．００１インチ〜約０．２５インチの間であるようなものである。
【００４３】
縫合７１及び／又は取り付け特徴部６２ｂは、廃棄物処理デバイス１２の全長の上側半分に、上側３分の１内に、及び／又は上側４分の１内に位置付けられたいずれかの開口部１１０の近くに位置決めされる。一部の実施形態では、開口部１１０は、廃棄物処理デバイスの前部９１の幅の実質的な部分に沿って延びる（すなわち、構造１６の移動を可能にするために）。従って、縫合７１及び／又は取り付け特徴部６２ｂは、廃棄物処理デバイス１２の前部９１の幅全体を通して、又は前部９１の幅全体よりも小さく、又は前部９１の幅の半分よりも大きく延びる。一部の実施形態では、開口部１１０は相対的に小さく、ペール上のボタン又は他の相互作用型特徴部へのアクセスを提供する。これらの実施形態では、縫合７１及び／又は取り付け特徴部６２ｂは、廃棄物処理デバイス１２のより小さい部分の周りに延び、例えば、廃棄物処理デバイス１２の高さ又は幅の半分未満、又は高さ又は幅の３分の１又は４分の１未満、又は８分の１未満にわたって延びる。
【００４４】
本発明の開示の様々な図によって例示するように、ハウジングカバー７０は、廃棄物処理デバイス１２の上端の周囲に位置付けられた第１の取り付け特徴部６２ｂを有し、それにより、蓋８２の開閉を可能にする。第１の取り付け特徴部６２ｂは、ｘ−ｙ平面に対して実質的に平行である。第１の取り付け特徴部６２ｂは、廃棄物処理デバイスの上端の周囲全体を通して実質的に連続している。ハウジングカバー７０は、クランプ構造１６と廃棄物取り出し開口部９２、すなわち、扉９２ａ及び／又はゴミ箱９２ｂのいずれか又はその両方へのアクセスを可能にする開口部１１０の周りに位置付けられた第２の取り付け特徴部６２ｂを有する（すなわち、これらの開口部１１０は、同じで隣接し、従って、部分的に連続及び／又は分離しているものとすることができる）。開口部９２が開放位置と閉鎖位置の間でクランプ構造の移動を可能にする実施形態では、ハウジングカバー７０及び従って第２の取り付け特徴部６２ｂは、クランプ構造１６の自由で束縛のない移動を可能にするように適切に構成される。
【００４５】
開口部９２が扉９２ａ及び／又はゴミ箱９２ｂである実施形態では、ハウジングカバー７０は、容易にアクセス可能であるようにヒンジ９８の周りに曲がる又は折り目を有することができ、又は代わりにカバーに関してきれいな外観又は連続的な外観を保つためにヒンジ９８又は折り目を持たない（すなわち、このようにして、開口部が開放位置にある時は扉９２ａ又はゴミ箱９２ｂの少なくとも一部を隠す）。更に別の実施形態では、ハウジングカバー７０は、扉９２ａ及び／又はゴミ箱９２ｂを開放位置及び閉鎖位置に付勢するように設計される。そのような付勢は、最小の形状（すなわち、扉９２ａ及び／又はゴミ箱９２ｂが完全に開き、ハウジングカバー７０が扉９２ａ及び／又はゴミ箱９２ｂの面に実質的に隣接していない状態）であろうとする伸張性ハウジングカバー７０を有することにより、又は別の機械的な力が条件（すなわち、扉９２ａ及び／又はゴミ箱９２ｂが閉じてハウジングカバー７０が通常の覆った状態に引き伸ばされた時）を維持するのを支援する場合に達成することができる。これに代えて、開放又は閉鎖を補完するために、バネ、ラチェット、ヒンジなどを含めて、機械的手段を使用することができる。第２の取り付け特徴部６２ｂは、そのような開口部１１０の周囲に位置付けられる。第２の取り付け特徴部は、ｘ−ｙ平面に実質的に平行な１又は２以上の部分と、ｘ−ｙ平面に実質的に垂直な１又は２以上の部分とを有する。
【００４６】
ハウジングカバーは、廃棄物処理デバイス１２の下端の周りに位置付けられた第３の取り付け特徴部６２ｂを有する。第３の取り付け特徴部６２ｂは、ハウジングカバー７０をそれ自体に取り付けること又は廃棄物処理デバイス１２に取り付けることのいずれかにより、廃棄物処理デバイス上に正確に位置決めすることを可能にする。第３の取り付け特徴部６２ｂは、ｘ−ｙ平面に対して実質的に平行である。第３の取り付け特徴部６２ｂは、廃棄物処理デバイスの下端の周囲全体を通して実質的に連続している。第１、第２、及び第３の取り付け特徴部６２ｂのうちの１又は２以上は、縫合７１である。第１、第２、及び第３の取り付け特徴部６２ｂのうちの１又は２以上は、端部（すなわち、上端又は下端）又は開口部の近くに位置付けられる。
【００４７】
カバー６９及び／又は７０は、パターン１２０を有する。そのようなパターン１２０は、形状、色、及び／又は材料の偏りを含み、それによって視覚的及び触覚的な効果を発生させる。ある一定の実施形態では、パターン１２０は、ユーザ及び／又は廃棄物処理デバイス１２の一部が触れた場合に可聴特性を有する。パターン１２０は、継ぎ目１１２、開口部１１０、取り付け特徴部１１１、並びに色及び材料の位置決めを含む。
【００４８】
本発明の開示の第２の態様では、受け入れ部分２０は、廃棄カバー２４を有する。廃棄カバー２４は、上側２８と、上側２８のほぼ反対側の底側３０とを有する。廃棄カバーは、外周３２と内周３４を有する。典型的には、廃棄カバーの外周３２は、カセット２２の受け入れ部分２０及び外周５２の態様の少なくとも１つの周囲に向けられる。典型的には、廃棄カバーの内周３４は中心開口部５６に向けられ、この中心開口部の中を通って廃棄物が最終的に保管部分１８に堆積される。明確にするために、中心開口部５６は、受け入れ部分２０（中心開口部５６ａを有する）及び／又はカセット２２（中心開口部５６ｂを有する）に特徴部を有する。
【００４９】
廃棄カバー２４は、ライナ材料１４によって保護されない受け入れ部分２０及び／又はカセット２２の露出部分に典型的に触れることになる臭気物質を含有する廃棄物の量を軽減するのを支援する。言い換えれば、廃棄カバー２４は、受け入れ部分２０及び／又はカセット２２の１又は２以上の露出部分を保護するために受け入れ部分２０内に配置され、廃棄カバー２４の底側３０が露出部分に近接する及び／又は隣接するようにする。廃棄カバー上側２８は、中心開口部５６の廃棄物逸れと上述の露出面の１又は２以上の間に障壁を生成するように位置決めされる。一部の実施形態では、廃棄カバー２４は、廃棄物を中心開口部５６に誘導する時に支援する。
【００５０】
一部の実施形態では、廃棄カバー２４の内周３４は、カセット２２のポート３６に近接する。一部の実施形態では、廃棄カバー２４の内周３４は、ライナ材料１４の第１の開放端５８に隣接する及び／又は同一空間にある。
【００５１】
内蓋４０が設けられ、かつ受け入れ部分４０に接続される。内蓋４０は、内蓋４０が受け入れ部分４０の周りを回転することを可能にするヒンジ９８を有する。内蓋４０は、上面４４と、上面４４のほぼ反対側の底面４６とを有する。内蓋は、外周４５と内周４７を有する。内蓋４０は、受け入れ部分４０内にライナ材料１４及び／又はカセット２２を固定するのに役立つこと、異物から受け入れ部分４０を保護すること、及び／又は廃棄物を中心開口部５６に誘導する時に支援することを含めて、様々な用途を有することができる。内蓋４０は、廃棄物を中心開口部に誘導する時に支援するように、漏斗３８のように成形することができる。これに加えて又はこれに代えて、カセット２２は、廃棄物を中心開口部に誘導する時に更に支援するように、漏斗３８のように成形された上面４８を有する。
【００５２】
一部の実施形態では、廃棄カバー２４は、実質的に内蓋を覆うように、より具体的には、内蓋４０の上面４４を実質的に覆うように構成される。一部の実施形態では、内蓋４０及びカセット２２は完全には隣接せず、従って、それらの間に間隙４２を形成する。間隙４２は、中心開口部５６に誘導される廃棄物が漂遊して間隙４２内に（すなわち、カセット２２、詳細には上面４８上のような受け入れ部分２０に、及び底面４６のような内蓋４０上に）誤って着地することを可能にするという点で問題を含む。一部のそのような実施形態では、廃棄カバー２４は、内周４５を超えて延び、外周４７を超えて延び、及び／又はカセットの上面４８を超えて（一部の事例では、カセット外周５２及び／又はカセット内周の近くに）延びる。
【００５３】
一部の実施形態では、カセット２２と受け入れ部分２０の間に間隙４２が存在する。間隙４２は、外周５２と座部１７の間にある。座部１７は、受け入れ部分２０に接続可能であるか又は受け入れ部分２０と一体である。そのような実施形態では、廃棄カバー２４は座部１７とカセット２２の間を延び、それによって間隙４２を覆う。廃棄カバー２４は、ポート３６に近接するようにカセットに取り付けられる。一部の実施形態では、カセットは取り付け特徴部６４ｃを有する。取り付け特徴部６４ｃは、カセット、受け入れ部分２０、及び／又は座部１７の露出面を覆う上で支援するように廃棄カバー２４に嵌合的に係合する。取り付け特徴部６４ｃは、粘着材料、クラスプ、又は廃棄カバー２４又は取り付け特徴部６２ａと解除可能に（機械的及び化学的な手段を含めて）固定する他の手段である。
【００５４】
廃棄カバー２４は、１又は２以上の取り付け特徴部６２ａを有する。取り付け特徴部６２ａは、外周３２、内周３４の周りに、及び／又は底側３０に沿って位置する。一部の実施形態では、取り付け特徴部６２は、廃棄カバーが受け入れ部分２０（及び／又はライナ材料１４、カセット２２、及び／又は内蓋４０のような受け入れ部分２０内の特徴部）に不完全な整合にも関わらず取り付け可能であるように、及び／又は様々な形状及びサイズの受け入れ部分２０の複数の構成に対して取り付け可能であるようにエラストマー性及び伸張性である。取り付け特徴部６２ａは、廃棄物処理デバイス１２、より具体的には、受け入れ部分２０上の嵌合取り付け特徴部６４ａに対して解除可能に固定可能である。
【００５５】
一部の実施形態では、廃棄カバー２４は、その外周３２、内周３４の周りに及び／又は底側３０の少なくとも一部に沿って粘着面を有する。粘着面は、廃棄カバー２４を受け入れ部分２０の望ましい露出部分に直接に付加することを可能にする接着剤又は他の半粘着材料である。廃棄カバー２４は、汚れた後に洗浄及び／又は交換のために廃棄カバーを取り外すことができるように、剥ぎ取り可能又は取り外し可能である。
【００５６】
任意的に、廃棄カバー２４及び／又はハウジングカバー６９及び／又は７０は、廃棄物処理デバイス１２への付加及び／又は廃棄物処理デバイス１２からの取り外しを容易にするために取り外しタブ６８（すなわち、廃棄カバーに対する６８ａ、ハウジングカバー７０に対する６８ｂ）を有する。取り外しタブ６８ａは、ユーザの手で把持可能であり、かつ付加及び／又は取り外しを容易にするようなサイズ、形状、及び位置にされる。取り外しタブ６８ａは、開口部１１０及び／又は廃棄物処理デバイス１２の特徴部（すなわち、蓋８２、内蓋４０、ボタン１１０、ハンドル１０２、ペダル１０４など）を取り囲む開口部とすることができる。
【００５７】
一部の実施形態では、カセット２２は、直線状、弧状、波状、階段状、その他の幾何学的構成及び／又はその組合せとすることができる２次元トポグラフィを有する面又は周囲（すなわち、上側部分、下側部分、外部、内部）を有する。一部の実施形態では、下面５０は、ｘ−ｙ平面に対して少なくとも部分的に傾斜している。カセット２２は、弓形、多角形などを含めて、様々な断面形状及び構成とすることができる。図１８ａ〜ｃに例示するように、カセット２２は、卵形、菱形、及び／又は三角形の形状を有することができる。図１８ｂに例示するように、カセット２２は、内周５４の部分５５ａ、５５ｂ、５５ｃ、及び／又は５５ｄの間、及び／又は外周５２（すなわち、部分５７ａ、５７ｂ、５７ｃ、５７ｄ）の間の角度関係を説明する角度α及び角度βを有する。角度αとβは、等しい又は等しくない場合があり、中心開口部５６ｂを増大させ、中心開口部５６ｂの最大寸法を軸線１４０の前側に向けて又は中線１４２に向けて移動し、及び／又はカセット２２の外周５２全体を最小にするために理想的な形状を生成することができる。一実施形態では、角度αは、角度βよりも小さい。  角度α及びβはまた、廃棄物処理デバイス１２、受け入れ部分２０、外周５２、内周５４、部分５５ａ、５５ｂ、５５ｃ、５５ｄ、部分５７ａ、５７ｂ、５７ｃ、５７ｄの近くに置かれるいずれかの廃棄カバー２４などにも適用される。
【００５８】
図１８ｄに例示するように、廃棄カバー２４は、漏斗３８の上に示されている。漏斗３８は、任意的に、内蓋４０又はカセット２２の上面４８の一部である。廃棄カバー２４は透明なので、図１８ｄに示すように、粘着面６６を有する底側３０が見える。取り外しタブ６８は、粘着面６６と干渉することなく廃棄カバー２４を容易に配置し、取り外すことができるように位置決めされる。
【００５９】
カバー２４、６９、及び／又は７０は、ｚ軸及び／又はｘ−ｙ平面に沿って交互に配置された第１のパターン１２０ａ及び第２のパターン１２０ｂを有する。一部の実施形態では、カバー６９は第１のパターン１２０ａを有し、カバー７０は第２のパターンを有する。他の実施形態では、追加のカバー６９は、第３のパターン１２０ａを有する。他の実施形態では、カバー２４、６９、及び／又は７０は、第１のパターン１２０ａ、第２のパターン１２０ｂ、第３のパターン１２０ｃ、及び／又は第ｎのパターンを有する。一部の実施形態では、第ｎのカバーは、第ｎのパターンを有する。パターン１２０は、共通のテーマを有することができる。例えば、パターン１２０は全て、テセレーション、インセット／フレーム、モザイク、ステンシル、ストライプ、シェブロン、フルールドリス、水玉パターン、格子縞、レンガ、ヘリンボーン、風刺画、動物プリント、漫画、風景などを含むことができるが、色、濃淡、色合い、材料、取り付け特徴部の位置決め、これらのサイズ及び／頻度のような別の態様で変化する。
【００６０】
一部の実施形態では、カバー２４、６９、及び／又は７０は、廃棄物処理デバイスの各部分に関連してパターンを形成する。一部の実施形態では、蓋８２及び／又は上側部分１１６は覆われず、中間部分１１４はカバー７０及び／又はカバー６９を有し、下側部分１１８は覆われない；これは、廃棄物処理デバイス１２の覆われた部分と覆われない部分の間にサンドイッチに類似したパターン１２０を提供する。一部の実施形態では、蓋８２は覆われず、外部７２はカバー７０及び／又はカバー６９で覆われ、廃棄物取り出し開口部９２は覆われない；これは、廃棄物処理デバイス１２の覆われた部分と覆われない部分の間にコントラストを提供する。一部の実施形態では、外部７２はカバー７０及び／又はカバー６９で覆われるが、１又は２以上のボタン１００、ハンドル１０２、及び／又はペダル１０４に対する開口部１１０は覆われない；これは、廃棄物処理デバイス１２の覆われた部分と覆われない部分の間にコントラストを提供する。
【００６１】
カバー２４、６９、及び／又は７０は、透明部分１３３を促進する材料を有することができるので、カバー２４、６９、及び／又は７０が廃棄物処理デバイス１２内の窓１３２の上にあるにも関わらず、そのような窓１３２が見える。他の実施形態では、窓１３２は、開口部１１０を通して見ることができる。
【００６２】
カバー２４、６９、及び／又は７０は、綿、合成繊維、ナイロン、レーヨン、不織布、織布、ビニール、プラスチック、フィルム、シュリンクラップ、再生材料、天然材料、生分解性材料、積層材料、及びその組合せのような公知の適切な材料で製造される。カバー２４、６９、及び／又は７０は、ゲル、カーボン、重炭酸ナトリウム、芳香、又は抗菌剤、防臭剤、及び／又は臭気中和剤のような他の添加物などの再生可能又は補充可能なコーティング、添加物、又はそれ以外に処理された材料を有することができる。カバー６９及び／又は７０は、耐水性、防しわ性、耐引裂き性、及び／又は耐汚染性を促進するのを支援する材料を有することができる。
【００６３】
添加剤及び／又は材料は、カバー２４、６９、及び／又は７０の中に作り込むことができ、後処理する及び／又は付着させることができる。一部の添加剤は、パック１３０を通じて付着される。パック１３０は、蓋８２、内蓋４０、扉９２ａ、及び／又はゴミ箱９２ｂの回転時にパック１３０が廃棄物処理デバイス１２に接続したままであるように、接続手段１３１によって廃棄物処理デバイス１２の上に又はその内部に保持される。
【００６４】
一部の実施形態では、カバー２４、６９、及び／又は７０は、廃棄物処理システム１０の構成要素内の材料又は添加物と協働して機能する材料及び／又は添加物を有する。例えば、カバー２４は、酸素透過性及び／又は透湿性のようなライナ材料１４に類似の材料特性を有する。カバー７０は芳香を有することができるが、一方で廃棄物処理デバイスは臭気中和パック１３０を有する。
【００６５】
１又は２以上の例示的実施形態を参照して本発明の開示を説明したが、本発明の開示の範囲から逸脱することなく様々な修正が可能であり、それらの要素の代わりに均等物を使用することができるということは当業者によって理解されるであろう。更に、本発明の開示の範囲から逸脱することなく特定の状況又は材料を本発明の開示の教示に適合させるために多くの修正を行うことができる。従って、本発明の開示は、考えられる最良のモードとして開示された特定の実施形態に限定すべきではなく、かつ本発明の開示の範囲に入る全ての実施形態を包含することを意図している。
【符号の説明】
【００６６】
１０  廃棄物処理システム
１２  廃棄物処理デバイス
７２  外部
８２  蓋
９２ａ  扉
【図１】
2019523194.tif 000003
【図２】
2019523194.tif 000004
【図３】
2019523194.tif 000005
【図４】
2019523194.tif 000006
【図５ａ】
2019523194.tif 000007
【図５ｂ】
2019523194.tif 000008
【図６ａ】
2019523194.tif 000009
【図６ｂ】
2019523194.tif 000010
【図６ｃ】
2019523194.tif 000011
【図６ｄ】
2019523194.tif 000012
【図６ｅ】
2019523194.tif 000013
【図６Ｆ】
2019523194.tif 000014
【図７ａ】
2019523194.tif 000015
【図７ｂ】
2019523194.tif 000016
【図７ｃ】
2019523194.tif 000017
【図８】
2019523194.tif 000018
【図９ａ】
2019523194.tif 000019
【図９ｂ】
2019523194.tif 000020
【図１０ａ】
2019523194.tif 000021
【図１０ｂ】
2019523194.tif 000022
【図１１ａ】
2019523194.tif 000023
【図１１ｂ】
2019523194.tif 000024
【図１２ａ】
2019523194.tif 000025
【図１２ｂ】
2019523194.tif 000026
【図１３ａ】
2019523194.tif 000027
【図１４】
2019523194.tif 000028
【図１４ａ】
2019523194.tif 000029
【図１５ａ】
2019523194.tif 000030
【図１５ｂ】
2019523194.tif 000031
【図１５ｃ】
2019523194.tif 000032
【図１５ｄ】
2019523194.tif 000033
【図１６ａ】
2019523194.tif 000034
【図１６ｂ】
2019523194.tif 000035
【図１６ｃ】
2019523194.tif 000036
【図１６ｄ】
2019523194.tif 000037
【図１７ａ】
2019523194.tif 000038
【図１７ｂ】
2019523194.tif 000039
【図１７ｃ】
2019523194.tif 000040
【図１８ａ】
2019523194.tif 000041
【図１８ｂ】
2019523194.tif 000042
【図１８ｃ】
2019523194.tif 000043
【図１８ｄ】
2019523194.tif 000044
【国際調査報告】
2019523194.tif 000045
2019523194.tif 000046
2019523194.tif 000047